(57)【要約】【課題】所定の位置に入った場合に情報を配信又は通知することを目的とする。【解決手段】情報配信装置１００は、指定時刻が到来したか否かを判定する時刻判定部１６２と、指定位置の所定の範囲に現在位置が入るか否かを判定する位置判定部１６４と、指定気象予報と受信した気象予報データとが一致するか否かを判定する気象予報判定部１６６とを備える。また、情報配信装置１００は、時刻判定部１６２と位置判定部１６４と気象予報判定部１６６との判定に基づき、ユーザにより入力された入力情報を所定の配信先へ配信する情報配信部１７０を備える。【選択図】図５
2008033674.tif 000002
【特許請求の範囲】
【請求項１】
任意に入力された入力情報をユーザ端末から通信装置により受信する入力情報受信部と、
上記入力情報受信部が受信した入力情報を記憶装置に記憶する入力情報記憶部と、
情報を発信するトリガーとなる時刻である指定時刻をユーザ端末から通信装置により受信する指定時刻受信部と、
上記指定時刻受信部が受信した指定時刻を記憶装置に記憶する指定時刻記憶部と、
上記指定時刻記憶部が記憶した指定時刻が到来したか否かを処理装置により判定する時刻判定部と、
情報を発信するトリガーとなる位置である指定位置をユーザ端末から通信装置により受信する指定位置受信部と、
上記指定位置受信部が受信した指定位置を記憶装置に記憶する指定位置記憶部と、
上記ユーザ端末の現在位置を通信装置により受信する現在位置受信部と、
上記指定位置記憶部が記憶した指定位置の所定の範囲に上記現在位置受信部が受信した現在位置が入るか否かを処理装置により判定する位置判定部と、
上記時刻が到来したと上記時刻判定部が判定し、かつ、上記所定の範囲に現在位置が入ると上記位置判定部が判定した場合、上記入力情報記憶部が記憶した入力情報を所定の配信先へ配信する情報配信部と
を備えることを特徴とする情報配信装置。
【請求項２】
上記情報配信装置は、さらに、
上記入力情報を配信する頻度を示す頻度情報をユーザ端末から受信する頻度受信部を備え、
上記情報配信部は、上記頻度受信部が受信した頻度情報に基づき上記入力情報を配信する
ことを特徴とする請求項１記載の情報配信装置。
【請求項３】
上記現在位置受信部は、ユーザ端末が所定の入退場管理端末と通信を行った場合に、現在位置を受信する
ことを特徴とする請求項１記載の情報配信装置。
【請求項４】
上記情報配信装置は、さらに、
情報を発信するトリガーとなる気象予報情報である指定気象予報をユーザ端末から通信装置により受信する指定気象予報受信部と、
上記指定気象予報受信部が受信した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部とを備え、
上記情報配信部は、上記時刻が到来したと上記時刻判定部が判定し、かつ、上記所定の範囲に現在位置が入ると上記位置判定部が判定し、かつ、上記指定気象予報と上記気象予報データとが一致すると上記気象予報判定部が判定した場合、上記入力情報を配信する
ことを特徴とする請求項１記載の情報配信装置。
【請求項５】
上記情報配信部は、電子メールを上記ユーザ端末へ送信することにより情報を配信することを特徴とする請求項１記載の情報配信装置。
【請求項６】
上記情報配信部は、所定の通知端末から音声データにより情報を配信することを特徴とする請求項１記載の情報配信装置。
【請求項７】
任意に入力された入力情報をユーザ端末から通信装置により受信する入力情報受信部と、
上記入力情報受信部が受信した入力情報を記憶装置に記憶する入力情報記憶部と、
情報を発信するトリガーとなる位置である指定位置をユーザ端末から通信装置により受信する指定位置受信部と、
上記指定位置受信部が受信した指定位置を記憶装置に記憶する指定位置記憶部と、
上記ユーザ端末の現在位置を通信装置により受信する現在位置受信部と、
上記指定位置記憶部が記憶した指定位置の所定の範囲に上記現在位置受信部が受信した現在位置が入るか否かを処理装置により判定する位置判定部と、
上記所定の範囲に現在位置が入ると上記位置判定部が判定した場合、上記入力情報記憶部が記憶した入力情報を所定の配信先へ配信する情報配信部と
を備えることを特徴とする情報配信装置。
【請求項８】
上記現在位置受信部は、ユーザ端末が所定の入退場管理端末と通信を行った場合に、現在位置を受信する
ことを特徴とする請求項７記載の情報配信装置。
【請求項９】
任意に入力された入力情報をユーザ端末から通信装置により受信する入力情報受信部と、
上記入力情報受信部が受信した入力情報を記憶装置に記憶する入力情報記憶部と、
情報を発信するトリガーとなる気象予報情報である指定気象予報をユーザ端末から通信装置により受信する指定気象予報受信部と、
上記指定気象予報受信部が受信した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記指定気象予報と上記気象予報データとが一致すると上記気象予報判定部が判定した場合、上記入力情報記憶部が記憶した入力情報を所定の配信先へ配信する情報配信部と
を備えることを特徴とする情報配信装置。
【請求項１０】
任意の情報を入力情報として入力装置により入力する入力情報入力部と、
上記入力情報入力部が入力した入力情報を記憶装置に記憶する入力情報記憶部と、
情報を発信するトリガーとなる時刻である指定時刻を入力装置により入力する指定時刻入力部と、
上記指定時刻入力部が入力した指定時刻を記憶装置に記憶する指定時刻記憶部と、
上記指定時刻記憶部が記憶した指定時刻が到来したか否かを処理装置により判定する時刻判定部と、
情報を発信するトリガーとなる位置である指定位置を入力装置により入力する指定位置入力部と、
上記指定位置入力部が入力した指定位置を記憶装置に記憶する指定位置記憶部と、
現在位置を位置取得装置により取得する現在位置取得部と、
上記指定位置記憶部が記憶した指定位置の所定の範囲に上記現在位置取得部が取得した現在位置が入るか否かを処理装置により判定する位置判定部と、
上記時刻が到来したと上記時刻判定部が判定し、かつ、上記所定の範囲に現在位置が入ると上記位置判定部が判定した場合、上記入力情報記憶部が記憶した入力情報を通知する情報通知部と
を備えることを特徴とする情報通知装置。
【請求項１１】
上記現在位置受信部は、ユーザ端末が所定の入退場管理端末と通信を行った場合に、上記入退場管理端末から現在位置を取得する
ことを特徴とする請求項１０記載の情報通知装置。
【請求項１２】
上記情報通知装置は、さらに、
情報を発信するトリガーとなる気象予報情報である指定気象予報を入力装置により入力する指定気象予報入力部と、
上記指定気象予報入力部が入力した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記情報通知部は、上記時刻が到来したと上記時刻判定部が判定し、かつ、上記所定の範囲に現在位置が入ると上記位置判定部が判定し、かつ、上記指定気象予報と気象予報データとが一致すると上記気象予報判定部が判定した場合、上記入力情報記憶部が記憶した入力情報を通知する
ことを特徴とする請求項１０記載の情報通知装置。
【請求項１３】
任意の情報を入力情報として入力装置により入力する入力情報入力部と、
上記入力情報入力部が入力した入力情報を記憶装置に記憶する入力情報記憶部と、
情報を発信するトリガーとなる位置である指定位置を入力装置により入力する指定位置入力部と、
上記指定位置入力部が入力した指定位置を記憶装置に記憶する指定位置記憶部と、
現在位置を位置取得装置により取得する現在位置取得部と、
上記指定位置記憶部が記憶した指定位置の所定の範囲に上記現在位置取得部が取得した現在位置が入るか否かを処理装置により判定する位置判定部と、
上記所定の範囲に現在位置が入ると上記位置判定部が判定した場合、上記入力情報記憶部が記憶した入力情報を通知する情報通知部と
を備えることを特徴とする情報通知装置。
【請求項１４】
任意の情報を入力情報として入力装置により入力する入力情報入力部と、
上記入力情報入力部が入力した入力情報を記憶装置に記憶する入力情報記憶部と、
情報を発信するトリガーとなる位置である指定位置を入力装置により入力する指定位置入力部と、
情報を発信するトリガーとなる気象予報情報である指定気象予報を入力装置により入力する指定気象予報入力部と、
上記指定気象予報入力部が入力した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記指定気象予報と気象予報データとが一致すると上記気象予報判定部が判定した場合、上記入力情報記憶部が記憶した入力情報を通知する情報通知部と
を備えることを特徴とする情報通知装置。
【請求項１５】
上記入力情報には、アクション（次の行動）を示唆する情報を含むことを特徴とする請求項１０乃至請求項１４記載の情報通知装置。
【請求項１６】
任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる時刻である指定時刻をユーザ端末から通信装置により受信する指定時刻受信処理と、
上記指定時刻受信処理で受信した指定時刻を記憶装置に記憶する指定時刻記憶処理と、
上記指定時刻記憶処理で記憶した指定時刻が到来したか否かを処理装置により判定する時刻判定処理と、
情報を発信するトリガーとなる位置である指定位置をユーザ端末から通信装置により受信する指定位置受信処理と、
上記指定位置受信処理で受信した指定位置を記憶装置に記憶する指定位置記憶処理と、
上記ユーザ端末の現在位置を通信装置により受信する現在位置受信処理と、
上記指定位置記憶処理で記憶した指定位置の所定の範囲に上記現在位置受信処理で受信した現在位置が入るか否かを処理装置により判定する位置判定処理と、
上記時刻が到来したと上記時刻判定処理で判定し、かつ、上記所定の範囲に現在位置が入ると上記位置判定処理で判定した場合、上記入力情報記憶処理で記憶した入力情報を所定の配信先へ配信する情報配信処理と
をコンピュータに実行させることを特徴とする情報配信プログラム。
【請求項１７】
上記情報配信プログラムは、さらに、
上記入力情報を配信する頻度を示す頻度情報をユーザ端末から受信する頻度受信処理を備え、
上記情報配信処理は、上記頻度受信処理で受信した頻度情報に基づき上記入力情報を配信する
ことを特徴とする請求項１６記載の情報配信プログラム。
【請求項１８】
上記位置受信処理は、ユーザ端末が所定の入退場管理端末と通信を行った場合に、現在位置を受信する
ことを特徴とする請求項１６記載の情報配信プログラム。
【請求項１９】
上記情報配信プログラムは、さらに、
情報を発信するトリガーとなる気象予報情報である指定気象予報をユーザ端末から通信装置により受信する指定気象予報受信処理と、
上記指定気象予報受信処理で受信した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理とを備え、
上記情報配信処理は、上記時刻が到来したと上記時刻判定処理で判定し、かつ、上記所定の範囲に現在位置が入ると上記位置判定処理で判定し、かつ、上記指定気象予報と上記気象予報データとが一致すると上記気象予報判定処理で判定した場合、上記入力情報を配信する
ことを特徴とする請求項１６記載の情報配信プログラム。
【請求項２０】
上記情報配信処理は、電子メールを上記ユーザ端末へ送信することにより情報を配信する
ことを特徴とする請求項１６記載の情報配信プログラム。
【請求項２１】
上記情報配信処理は、所定の通知端末から音声データにより情報を配信する
ことを特徴とする請求項１６記載の情報配信プログラム。
【請求項２２】
任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる位置である指定位置をユーザ端末から通信装置により受信する指定位置受信処理と、
上記指定位置受信処理で受信した指定位置を記憶装置に記憶する指定位置記憶処理と、
上記ユーザ端末の現在位置を通信装置により受信する現在位置受信処理と、
上記指定位置記憶処理で記憶した指定位置の所定の範囲に上記現在位置受信処理で受信した現在位置が入るか否かを処理装置により判定する位置判定処理と、
上記所定の範囲に現在位置が入ると上記位置判定処理で判定した場合、上記入力情報記憶処理で記憶した入力情報を所定の配信先へ配信する情報配信処理と
をコンピュータに実行させることを特徴とする情報配信プログラム。
【請求項２３】
上記位置受信処理は、ユーザ端末が所定の入退場管理端末と通信を行った場合に、現在位置を受信する
ことを特徴とする請求項２２記載の情報配信プログラム。
【請求項２４】
任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる気象予報情報である指定気象予報をユーザ端末から通信装置により受信する指定気象予報受信処理と、
上記指定気象予報受信処理で受信した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記指定気象予報と上記気象予報データとが一致すると上記気象予報判定処理で判定した場合、上記入力情報記憶処理で記憶した入力情報を所定の配信先へ配信する情報配信処理と
をコンピュータに実行させることを特徴とする情報配信プログラム。
【請求項２５】
任意の情報を入力情報として入力装置により入力する入力情報入力処理と、
上記入力情報入力処理で入力した入力情報を記憶装置に記憶する入力情報記憶処理と、
情報を発信するトリガーとなる時刻である指定時刻を入力装置により入力する指定時刻入力処理と、
上記指定時刻入力処理で入力した指定時刻を記憶装置に記憶する指定時刻記憶処理と、
上記指定時刻記憶処理で記憶した指定時刻が到来したか否かを処理装置により判定する時刻判定処理と、
情報を発信するトリガーとなる位置である指定位置を入力装置により入力する指定位置入力処理と、
上記指定位置入力処理で入力した指定位置を記憶装置に記憶する指定位置記憶処理と、
現在位置を位置取得装置により取得する現在位置取得処理と、
上記指定位置記憶処理で記憶した指定位置の所定の範囲に上記現在位置取得処理で取得した現在位置が入るか否かを処理装置により判定する位置判定処理と、
上記時刻が到来したと上記時刻判定処理で判定し、かつ、上記所定の範囲に現在位置が入ると上記位置判定処理で判定した場合、上記入力情報記憶処理で記憶した入力情報を通知する情報通知処理と
をコンピュータに実行させることを特徴とする情報通知プログラム。
【請求項２６】
上記位置受信処理は、ユーザ端末が所定の入退場管理端末と通信を行った場合に、上記入退場管理端末から現在位置を取得する
ことを特徴とする請求項２５記載の情報通知プログラム。
【請求項２７】
上記情報通知プログラムは、さらに、
情報を発信するトリガーとなる気象予報情報である指定気象予報を入力装置により入力する指定気象予報入力処理と、
上記指定気象予報入力処理で入力した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記情報通知処理は、上記時刻が到来したと上記時刻判定処理で判定し、かつ、上記所定の範囲に現在位置が入ると上記位置判定処理で判定し、かつ、上記指定気象予報と気象予報データとが一致すると上記気象予報判定処理で判定した場合、上記入力情報記憶処理で記憶した入力情報を通知する
ことを特徴とする請求項２５記載の情報通知プログラム。
【請求項２８】
任意の情報を入力情報として入力装置により入力する入力情報入力処理と、
上記入力情報入力処理で入力した入力情報を記憶装置に記憶する入力情報記憶処理と、
情報を発信するトリガーとなる位置である指定位置を入力装置により入力する指定位置入力処理と、
上記指定位置入力処理で入力した指定位置を記憶装置に記憶する指定位置記憶処理と、
現在位置を位置取得装置により取得する現在位置取得処理と、
上記指定位置記憶処理で記憶した指定位置の所定の範囲に上記現在位置取得処理で取得した現在位置が入るか否かを処理装置により判定する位置判定処理と、
上記所定の範囲に現在位置が入ると上記位置判定処理で判定した場合、上記入力情報記憶処理で記憶した入力情報を通知する情報通知処理と
をコンピュータに実行させることを特徴とする情報通知プログラム。
【請求項２９】
任意の情報を入力情報として入力装置により入力する入力情報入力処理と、
上記入力情報入力処理で入力した入力情報を記憶装置に記憶する入力情報記憶処理と、
情報を発信するトリガーとなる位置である指定位置を入力装置により入力する指定位置入力処理と、
情報を発信するトリガーとなる気象予報情報である指定気象予報を入力装置により入力する指定気象予報入力処理と、
上記指定気象予報入力処理で入力した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記指定気象予報と気象予報データとが一致すると上記気象予報判定処理で判定した場合、上記入力情報記憶処理で記憶した入力情報を通知する情報通知処理と
をコンピュータに実行させることを特徴とする情報通知プログラム。
【請求項３０】
上記入力情報には、アクション（次の行動）を示唆する情報を含むことを特徴とする請求項２５乃至請求項２９記載の情報通知プログラム。
【請求項３１】
任意に入力された入力情報をユーザ端末から通信装置が受信する入力情報受信ステップと、
上記入力情報受信ステップで受信した入力情報を記憶装置が記憶する入力情報記憶ステップと、
情報を発信するトリガーとなる時刻である指定時刻をユーザ端末から通信装置が受信する指定時刻受信ステップと、
上記指定時刻受信ステップで受信した指定時刻を記憶装置が記憶する指定時刻記憶ステップと、
上記指定時刻記憶ステップで記憶した指定時刻が到来したか否かを処理装置が判定する時刻判定ステップと、
情報を発信するトリガーとなる位置である指定位置をユーザ端末から通信装置が受信する指定位置受信ステップと、
上記指定位置受信ステップで受信した指定位置を記憶装置が記憶する指定位置記憶ステップと、
上記ユーザ端末の現在位置を通信装置が受信する現在位置受信ステップと、
上記指定位置記憶ステップで記憶した指定位置の所定の範囲に上記現在位置受信ステップで受信した現在位置が入るか否かを処理装置が判定する位置判定ステップと、
上記時刻が到来したと上記時刻判定ステップで判定し、かつ、上記所定の範囲に現在位置が入ると上記位置判定ステップで判定した場合、上記入力情報記憶ステップで記憶した入力情報を所定の配信先へ通信装置が配信する情報配信ステップと
を備えることを特徴とする情報配信方法。
【請求項３２】
任意の情報を入力情報として入力装置が入力する入力情報入力ステップと、
上記入力情報入力ステップで入力した入力情報を記憶装置が記憶する入力情報記憶ステップと、
情報を発信するトリガーとなる時刻である指定時刻を入力装置が入力する指定時刻入力ステップと、
上記指定時刻入力ステップで入力した指定時刻を記憶装置が記憶する指定時刻記憶ステップと、
上記指定時刻記憶ステップで記憶した指定時刻が到来したか否かを処理装置が判定する時刻判定ステップと、
情報を発信するトリガーとなる位置である指定位置を入力装置が入力する指定位置入力ステップと、
上記指定位置入力ステップで入力した指定位置を記憶装置が記憶する指定位置記憶ステップと、
現在位置を位置取得装置が取得する現在位置取得ステップと、
上記指定位置記憶ステップで記憶した指定位置の所定の範囲に上記現在位置取得ステップで取得した現在位置が入るか否かを処理装置が判定する位置判定ステップと、
上記時刻が到来したと上記時刻判定ステップで判定し、かつ、上記所定の範囲に現在位置が入ると上記位置判定ステップで判定した場合、上記入力情報記憶ステップで記憶した入力情報を出力装置が通知する情報通知ステップと
を備えることを特徴とする情報通知方法。
【請求項３３】
上記入力情報には、アクション（次の行動）を示唆する情報を含むことを特徴とする請求項３２記載の情報通知方法。
【発明の詳細な説明】
【技術分野】
【０００１】
本発明は、例えば、指定された条件を満たした場合に、指定された情報を配信又は通知する技術に関する。
【背景技術】
【０００２】
従来、指定した時刻になるとアラーム等により、指定した時刻が到来したこととともに所定の情報を通知する装置がある。また、株価が指定の額になった場合にメールを配信するサービスがある。つまり、時刻をトリガーとして情報を配信、通知する技術や、通知する情報の変化をトリガーとして情報を配信する技術は存在する。このような技術により、忘れてはならない期日の到来、気が付かなければならない情報の変化をユーザに想起させている。
【特許文献１】特開２００３−２８３６８９号公報
【特許文献２】特開２００２−３５１９０５号公報
【特許文献３】特開２００６−８０８４３号公報
【特許文献４】特開２００２−３５７６７０号公報
【特許文献５】特開２００４−６４３２１号公報
【特許文献６】特開２００４−３１８７４７号公報
【発明の開示】
【発明が解決しようとする課題】
【０００３】
忘れてはならない情報を想起する必要があるのは、時刻の到来や、通知する情報の変化による場合だけではない。特に、所定の駅等で下車した場合や、所定の店舗付近を通りかかった場合等に情報を想起しなければならない場合がある。しかし、このような場合をトリガーとして、情報を想起させるため、情報配信や情報通知をしたり、アクション（次の行動）を示唆できる技術はない。
本発明は、例えば、所定の位置に入った場合等に情報を配信又は通知したり、アクション（次の行動）を示唆することを目的とする。
【課題を解決するための手段】
【０００４】
本発明に係る情報配信装置は、例えば、任意に入力された入力情報をユーザ端末から通信装置により受信する入力情報受信部と、
上記入力情報受信部が受信した入力情報を記憶装置に記憶する入力情報記憶部と、
情報を発信するトリガーとなる時刻である指定時刻をユーザ端末から通信装置により受信する指定時刻受信部と、
上記指定時刻受信部が受信した指定時刻を記憶装置に記憶する指定時刻記憶部と、
上記指定時刻記憶部が記憶した指定時刻が到来したか否かを処理装置により判定する時刻判定部と、
情報を発信するトリガーとなる位置である指定位置をユーザ端末から通信装置により受信する指定位置受信部と、
上記指定位置受信部が受信した指定位置を記憶装置に記憶する指定位置記憶部と、
上記ユーザ端末の現在位置を通信装置により受信する現在位置受信部と、
上記指定位置記憶部が記憶した指定位置の所定の範囲に上記現在位置受信部が受信した現在位置が入るか否かを処理装置により判定する位置判定部と、
上記時刻が到来したと上記時刻判定部が判定し、かつ、上記所定の範囲に現在位置が入ると上記位置判定部が判定した場合、上記入力情報記憶部が記憶した入力情報を所定の配信先へ配信する情報配信部と
を備えることを特徴とする。
【０００５】
上記情報配信装置は、さらに、
上記入力情報を配信する頻度を示す頻度情報ユーザ端末から受信する頻度受信部を備え、
上記情報配信部は、上記頻度受信部が受信した頻度情報に基づき上記入力情報を配信する
ことを特徴とする。
【０００６】
上記現在位置受信部は、ユーザ端末が所定の入退場管理端末と通信を行った場合に、現在位置を受信する
ことを特徴とする。
【０００７】
上記情報配信装置は、さらに、
情報を発信するトリガーとなる気象予報情報である指定気象予報をユーザ端末から受信する指定気象予報受信部と、
上記指定気象予報受信部が受信した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部とを備え、
上記情報配信部は、上記時刻が到来したと上記時刻判定部が判定し、かつ、上記所定の範囲に現在位置が入ると上記位置判定部が判定し、かつ、上記指定気象予報と上記気象予報データとが一致すると上記気象予報判定部が判定した場合、上記入力情報を配信する
ことを特徴とする。
【０００８】
上記情報配信部は、電子メールを上記ユーザ端末へ送信することにより情報を配信することを特徴とする。
【０００９】
上記情報配信部は、所定の通知端末から音声データにより情報を配信する
ことを特徴とする。
【００１０】
また、本発明に係る情報配信装置は、例えば、任意に入力された入力情報をユーザ端末から通信装置により受信する入力情報受信部と、
上記入力情報受信部が受信した入力情報を記憶装置に記憶する入力情報記憶部と、
情報を発信するトリガーとなる位置である指定位置をユーザ端末から通信装置により受信する指定位置受信部と、
上記指定位置受信部が受信した指定位置を記憶装置に記憶する指定位置記憶部と、
上記ユーザ端末の現在位置を通信装置により受信する現在位置受信部と、
上記指定位置記憶部が記憶した指定位置の所定の範囲に上記現在位置受信部が受信した現在位置が入るか否かを処理装置により判定する位置判定部と、
上記所定の範囲に現在位置が入ると上記位置判定部が判定した場合、上記入力情報記憶部が記憶した入力情報を所定の配信先へ配信する情報配信部と
を備えることを特徴とする。
【００１１】
上記現在位置受信部は、ユーザ端末が所定の入退場管理端末と通信を行った場合に、現在位置を受信する
ことを特徴とする。
【００１２】
また、本発明に係る情報配信装置は、例えば、任意に入力された入力情報をユーザ端末から通信装置により受信する入力情報受信部と、
上記入力情報受信部が受信した入力情報を記憶装置に記憶する入力情報記憶部と、
情報を発信するトリガーとなる気象予報情報である指定気象予報をユーザ端末から通信装置により受信する指定気象予報受信部と、
上記指定気象予報受信部が受信した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記指定気象予報と上記気象予報データとが一致すると上記気象予報判定部が判定した場合、上記入力情報記憶部が記憶した入力情報を所定の配信先へ配信する情報配信部と
を備えることを特徴とする。
【００１３】
本発明に係る情報通知装置は、例えば、任意の情報を入力情報として入力装置により入力する入力情報入力部と、
上記入力情報入力部が入力した入力情報を記憶装置に記憶する入力情報記憶部と、
情報を発信するトリガーとなる時刻である指定時刻を入力装置により入力する指定時刻入力部と、
上記指定時刻入力部が入力した指定時刻を記憶装置に記憶する指定時刻記憶部と、
上記指定時刻記憶部が記憶した指定時刻が到来したか否かを処理装置により判定する時刻判定部と、
情報を発信するトリガーとなる位置である指定位置を入力装置により入力する指定位置入力部と、
上記指定位置入力部が入力した指定位置を記憶装置に記憶する指定位置記憶部と、
現在位置を位置取得装置により取得する現在位置取得部と、
上記指定位置記憶部が記憶した指定位置の所定の範囲に上記現在位置取得部が取得した現在位置が入るか否かを処理装置により判定する位置判定部と、
上記時刻が到来したと上記時刻判定部が判定し、かつ、上記所定の範囲に現在位置が入ると上記位置判定部が判定した場合、上記入力情報記憶部が記憶した入力情報を通知する情報通知部と
を備えることを特徴とする。
【００１４】
上記現在位置受信部は、ユーザ端末が所定の入退場管理端末と通信を行った場合に、上記入退場管理端末から現在位置を取得する
ことを特徴とする。
【００１５】
上記情報通知装置は、さらに、
情報を発信するトリガーとなる気象予報情報である指定気象予報を入力装置により入力する指定気象予報入力部と、
上記指定気象予報入力部が入力した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記情報通知部は、上記時刻が到来したと上記時刻判定部が判定し、かつ、上記所定の範囲に現在位置が入ると上記位置判定部が判定し、かつ、上記指定気象予報と気象予報データとが一致すると上記気象予報判定部が判定した場合、上記入力情報記憶部が記憶した入力情報を通知する
ことを特徴とする。
【００１６】
また、本発明に係る情報通知装置は、例えば、任意の情報を入力情報として入力装置により入力する入力情報入力部と、
上記入力情報入力部が入力した入力情報を記憶装置に記憶する入力情報記憶部と、
情報を発信するトリガーとなる位置である指定位置を入力装置により入力する指定位置入力部と、
上記指定位置入力部が入力した指定位置を記憶装置に記憶する指定位置記憶部と、
現在位置を位置取得装置により取得する現在位置取得部と、
上記指定位置記憶部が記憶した指定位置の所定の範囲に上記現在位置取得部が取得した現在位置が入るか否かを処理装置により判定する位置判定部と、
上記所定の範囲に現在位置が入ると上記位置判定部が判定した場合、上記入力情報記憶部が記憶した入力情報を通知する情報通知部と
を備えることを特徴とする。
【００１７】
また、本発明に係る情報通知装置は、例えば、任意の情報を入力情報として入力装置により入力する入力情報入力部と、
上記入力情報入力部が入力した入力情報を記憶装置に記憶する入力情報記憶部と、
情報を発信するトリガーとなる位置である指定位置を入力装置により入力する指定位置入力部と、
情報を発信するトリガーとなる気象予報情報である指定気象予報を入力装置により入力する指定気象予報入力部と、
上記指定気象予報入力部が入力した指定気象予報を記憶装置に記憶する指定気象予報記憶部と、
気象予報データを通信装置により受信する気象予報データ受信部と、
上記指定気象予報記憶部が記憶した指定気象予報と上記気象予報データ受信部が受信した気象予報データとが一致するか否かを処理装置により判定する気象予報判定部と、
上記指定気象予報と気象予報データとが一致すると上記気象予報判定部が判定した場合、上記入力情報記憶部が記憶した入力情報を通知する情報通知部と
を備えることを特徴とする情報通知装置。
【００１８】
上記入力情報には、アクション（次の行動）を示唆する情報を含むことを特徴とする。
【００１９】
本発明に係る情報配信プログラムは、例えば、任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる時刻である指定時刻をユーザ端末から通信装置により受信する指定時刻受信処理と、
上記指定時刻受信処理で受信した指定時刻を記憶装置に記憶する指定時刻記憶処理と、
上記指定時刻記憶処理で記憶した指定時刻が到来したか否かを処理装置により判定する時刻判定処理と、
情報を発信するトリガーとなる位置である指定位置をユーザ端末から通信装置により受信する指定位置受信処理と、
上記指定位置受信処理で受信した指定位置を記憶装置に記憶する指定位置記憶処理と、
上記ユーザ端末の現在位置を通信装置により受信する現在位置受信処理と、
上記指定位置記憶処理で記憶した指定位置の所定の範囲に上記現在位置受信処理で受信した現在位置が入るか否かを処理装置により判定する位置判定処理と、
上記時刻が到来したと上記時刻判定処理で判定し、かつ、上記所定の範囲に現在位置が入ると上記位置判定処理で判定した場合、上記入力情報記憶処理で記憶した入力情報を所定の配信先へ配信する情報配信処理と
をコンピュータに実行させることを特徴とする。
【００２０】
上記情報配信プログラムは、さらに、
上記入力情報を配信する頻度を示す頻度情報ユーザ端末から受信する頻度受信処理を備え、
上記情報配信処理は、上記頻度受信処理で受信した頻度情報に基づき上記入力情報を配信する
ことを特徴とする。
【００２１】
上記位置受信処理は、ユーザ端末が所定の入退場管理端末と通信を行った場合に、現在位置を受信する
ことを特徴とする。
【００２２】
上記情報配信プログラムは、さらに、
情報を発信するトリガーとなる気象予報情報である指定気象予報をユーザ端末から受信する指定気象予報受信処理と、
上記指定気象予報受信処理で受信した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理とを備え、
上記情報配信処理は、上記時刻が到来したと上記時刻判定処理で判定し、かつ、上記所定の範囲に現在位置が入ると上記位置判定処理で判定し、かつ、上記指定気象予報と上記気象予報データとが一致すると上記気象予報判定処理で判定した場合、上記入力情報を配信する
ことを特徴とする。
【００２３】
上記情報配信処理は、電子メールを上記ユーザ端末へ送信することにより情報を配信する
ことを特徴とする。
【００２４】
上記情報配信処理は、所定の通知端末から音声データにより情報を配信する
ことを特徴とする。
【００２５】
また、本発明に係る情報配信プログラムは、例えば、任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる位置である指定位置をユーザ端末から通信装置により受信する指定位置受信処理と、
上記指定位置受信処理で受信した指定位置を記憶装置に記憶する指定位置記憶処理と、
上記ユーザ端末の現在位置を通信装置により受信する現在位置受信処理と、
上記指定位置記憶処理で記憶した指定位置の所定の範囲に上記現在位置受信処理で受信した現在位置が入るか否かを処理装置により判定する位置判定処理と、
上記所定の範囲に現在位置が入ると上記位置判定処理で判定した場合、上記入力情報記憶処理で記憶した入力情報を所定の配信先へ配信する情報配信処理と
をコンピュータに実行させることを特徴とする。
【００２６】
上記位置受信処理は、ユーザ端末が所定の入退場管理端末と通信を行った場合に、現在位置を受信する
ことを特徴とする。
【００２７】
また、本発明に係る情報配信プログラムは、例えば、任意に入力された入力情報をユーザ端末から通信装置により受信する入力情報受信処理と、
上記入力情報受信処理で受信した入力情報を記憶装置に記憶する入力情報記憶処理と、
情報を発信するトリガーとなる気象予報情報である指定気象予報をユーザ端末から通信装置により受信する指定気象予報受信処理と、
上記指定気象予報受信処理で受信した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記指定気象予報と上記気象予報データとが一致すると上記気象予報判定処理で判定した場合、上記入力情報記憶処理で記憶した入力情報を所定の配信先へ配信する情報配信処理と
をコンピュータに実行させることを特徴とする。
【００２８】
本発明に係る情報通知プログラムは、例えば、任意の情報を入力情報として入力装置により入力する入力情報入力処理と、
上記入力情報入力処理で入力した入力情報を記憶装置に記憶する入力情報記憶処理と、
情報を発信するトリガーとなる時刻である指定時刻を入力装置により入力する指定時刻入力処理と、
上記指定時刻入力処理で入力した指定時刻を記憶装置に記憶する指定時刻記憶処理と、
上記指定時刻記憶処理で記憶した指定時刻が到来したか否かを処理装置により判定する時刻判定処理と、
情報を発信するトリガーとなる位置である指定位置を入力装置により入力する指定位置入力処理と、
上記指定位置入力処理で入力した指定位置を記憶装置に記憶する指定位置記憶処理と、
現在位置を位置取得装置により取得する現在位置取得処理と、
上記指定位置記憶処理で記憶した指定位置の所定の範囲に上記現在位置取得処理で取得した現在位置が入るか否かを処理装置により判定する位置判定処理と、
上記時刻が到来したと上記時刻判定処理で判定し、かつ、上記所定の範囲に現在位置が入ると上記位置判定処理で判定した場合、上記入力情報記憶処理で記憶した入力情報を通知する情報通知処理と
をコンピュータに実行させることを特徴とする。
【００２９】
上記位置受信処理は、ユーザ端末が所定の入退場管理端末と通信を行った場合に、上記入退場管理端末から現在位置を取得する
ことを特徴とする。
【００３０】
上記情報通知プログラムは、さらに、
情報を発信するトリガーとなる気象予報情報である指定気象予報を入力装置により入力する指定気象予報入力処理と、
上記指定気象予報入力処理で入力した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記情報通知処理は、上記時刻が到来したと上記時刻判定処理で判定し、かつ、上記所定の範囲に現在位置が入ると上記位置判定処理で判定し、かつ、上記指定気象予報と気象予報データとが一致すると上記気象予報判定処理で判定した場合、上記入力情報記憶処理で記憶した入力情報を通知する
ことを特徴とする。
【００３１】
また、本発明に係る情報通知プログラムは、例えば、任意の情報を入力情報として入力装置により入力する入力情報入力処理と、
上記入力情報入力処理で入力した入力情報を記憶装置に記憶する入力情報記憶処理と、
情報を発信するトリガーとなる位置である指定位置を入力装置により入力する指定位置入力処理と、
上記指定位置入力処理で入力した指定位置を記憶装置に記憶する指定位置記憶処理と、
現在位置を位置取得装置により取得する現在位置取得処理と、
上記指定位置記憶処理で記憶した指定位置の所定の範囲に上記現在位置取得処理で取得した現在位置が入るか否かを処理装置により判定する位置判定処理と、
上記所定の範囲に現在位置が入ると上記位置判定処理で判定した場合、上記入力情報記憶処理で記憶した入力情報を通知する情報通知処理と
をコンピュータに実行させることを特徴とする。
【００３２】
また、本発明に係る情報通知プログラムは、例えば、任意の情報を入力情報として入力装置により入力する入力情報入力処理と、
上記入力情報入力処理で入力した入力情報を記憶装置に記憶する入力情報記憶処理と、
情報を発信するトリガーとなる位置である指定位置を入力装置により入力する指定位置入力処理と、
情報を発信するトリガーとなる気象予報情報である指定気象予報を入力装置により入力する指定気象予報入力処理と、
上記指定気象予報入力処理で入力した指定気象予報を記憶装置に記憶する指定気象予報記憶処理と、
気象予報データを通信装置により受信する気象予報データ受信処理と、
上記指定気象予報記憶処理で記憶した指定気象予報と上記気象予報データ受信処理で受信した気象予報データとが一致するか否かを処理装置により判定する気象予報判定処理と、
上記指定気象予報と気象予報データとが一致すると上記気象予報判定処理で判定した場合、上記入力情報記憶処理で記憶した入力情報を通知する情報通知処理と
をコンピュータに実行させることを特徴とする。
【００３３】
上記入力情報には、アクション（次の行動）を示唆する情報を含むことを特徴とする。
【００３４】
本発明に係る情報配信方法は、例えば、任意に入力された入力情報をユーザ端末から通信装置が受信する入力情報受信ステップと、
上記入力情報受信ステップで受信した入力情報を記憶装置が記憶する入力情報記憶ステップと、
情報を発信するトリガーとなる時刻である指定時刻をユーザ端末から通信装置が受信する指定時刻受信ステップと、
上記指定時刻受信ステップで受信した指定時刻を記憶装置が記憶する指定時刻記憶ステップと、
上記指定時刻記憶ステップで記憶した指定時刻が到来したか否かを処理装置が判定する時刻判定ステップと、
情報を発信するトリガーとなる位置である指定位置をユーザ端末から通信装置が受信する指定位置受信ステップと、
上記指定位置受信ステップで受信した指定位置を記憶装置が記憶する指定位置記憶ステップと、
上記ユーザ端末の現在位置を通信装置が受信する現在位置受信ステップと、
上記指定位置記憶ステップで記憶した指定位置の所定の範囲に上記現在位置受信ステップで受信した現在位置が入るか否かを処理装置が判定する位置判定ステップと、
上記時刻が到来したと上記時刻判定ステップで判定し、かつ、上記所定の範囲に現在位置が入ると上記位置判定ステップで判定した場合、上記入力情報記憶ステップで記憶した入力情報を所定の配信先へ通信装置が配信する情報配信ステップと
を備えることを特徴とする。
【００３５】
本発明に係る情報通知方法は、例えば、任意の情報を入力情報として入力装置が入力する入力情報入力ステップと、
上記入力情報入力ステップで入力した入力情報を記憶装置が記憶する入力情報記憶ステップと、
情報を発信するトリガーとなる時刻である指定時刻を入力装置が入力する指定時刻入力ステップと、
上記指定時刻入力ステップで入力した指定時刻を記憶装置が記憶する指定時刻記憶ステップと、
上記指定時刻記憶ステップで記憶した指定時刻が到来したか否かを処理装置が判定する時刻判定ステップと、
情報を発信するトリガーとなる位置である指定位置を入力装置が入力する指定位置入力ステップと、
上記指定位置入力ステップで入力した指定位置を記憶装置が記憶する指定位置記憶ステップと、
現在位置を位置取得装置が取得する現在位置取得ステップと、
上記指定位置記憶ステップで記憶した指定位置の所定の範囲に上記現在位置取得ステップで取得した現在位置が入るか否かを処理装置が判定する位置判定ステップと、
上記時刻が到来したと上記時刻判定ステップで判定し、かつ、上記所定の範囲に現在位置が入ると上記位置判定ステップで判定した場合、上記入力情報記憶ステップで記憶した入力情報を出力装置が通知する情報通知ステップと
を備えることを特徴とする。
【００３６】
上記入力情報には、アクション（次の行動）を示唆する情報を含むことを特徴とする。
【発明の効果】
【００３７】
本発明に係る情報配信装置及び情報通知装置によれば、指定位置の所定の範囲に入った場合に、予め登録した情報を配信又は通知したり、アクション（次の行動）を示唆できる。つまり、位置をトリガーとして情報及びアクション（次の行動）の想起が可能となる。また、天気予報をトリガーとして情報及びアクション（次の行動）の想起が可能となる。
【発明を実施するための最良の形態】
【００３８】
図１は、実施の形態における情報配信システム１０００の外観の一例を示す図である。
図１において、情報配信システム１０００は、サーバ９１０、ＰＣ（パーソナルコンピュータ）９０９、ＬＣＤ（液晶）等の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｃ・  Ｄｒｉｖｅ）、外部サーバ９１６、携帯電話端末９１７などのハードウェア資源を備え、これらはケーブルや信号線等の有線ネットワークや、無線ネットワークで接続されている。
サーバ９１０、ＰＣ９０９、外部サーバ９１６、携帯電話端末９１７は、コンピュータである。サーバ９１０は、ローカルエリアネットワーク９４２（ＬＡＮ）、ゲートウェイ９４１を介してインターネット９４０に接続され、インターネット９４０を介してＰＣ９０９、外部サーバ９１６、携帯電話端末９１７と接続されている。
ここで、サーバ９１０は、情報配信装置１００の一例である。また、携帯電話端末９１７は、情報通知装置２００、ユーザ端末３００及び所定の配信先の一例である。また、外部サーバ９１６は、気象情報配信装置の一例である。また、ＰＣ９０９は、所定の配信先の一例である。
【００３９】
図２は、実施の形態における情報配信装置１００のハードウェア資源の一例を示す図である。
図２において、情報配信装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、磁気ディスク装置９２０と接続され、これらのハードウェアデバイスを制御する。磁気ディスク装置９２０の代わりに、光ディスク装置、メモリカード読み書き装置などの記憶装置でもよい。
【００４０】
図３は、実施の形態における情報通知装置２００、ユーザ端末３００のハードウェア資源の一例を示す図である。
図３において、情報通知装置２００は、プログラムを実行するＣＰＵ９１１を備えている。ＣＰＵ９１１は、バス９１２を介してＲＯＭ９１３、ＲＡＭ９１４、通信ボード９１５、表示装置９０１、キーボード９０２、ＧＰＳ（Ｇｌｏｂａｌ  Ｐｏｓｉｔｉｏｎｉｎｇ  Ｓｙｓｔｅｍ）アンテナ９１８、スピーカー９１９と接続され、これらのハードウェアデバイスを制御する。
【００４１】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置９８４の一例である。
通信ボード９１５、キーボード９０２、ＦＤＤ９０４などは、入力装置９８２の一例である。
ＧＰＳアンテナ９１８は、位置取得装置９９０の一例である。
スピーカー９１９は、出力装置９９２の一例である。
【００４２】
通信ボード９１５は、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不要となる。
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４３】
上記プログラム群９２３には、以下に述べる実施の形態の説明において「情報配信処理部１１０」、「情報通知処理部２１０」として説明する機能を実行するプログラムが記憶されている。プログラムは、ＣＰＵ９１１により読み出され実行される。
ファイル群９２４には、以下に述べる実施の形態の説明において、「〜判定」として説明する情報やデータや信号値や変数値やパラメータが、「ファイル」や「データベース」の各項目として記憶されている。「ファイル」や「データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
また、以下に述べる実施の形態の説明において説明するフローチャートの矢印の部分は主としてデータや信号の入出力を示し、データや信号値は、ＲＡＭ９１４のメモリ、ＦＤＤ９０４のフレキシブルディスク、コンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号は、バス９１２や信号線やケーブルその他の伝送媒体によりオンライン伝送される。
【００４４】
また、以下に述べる実施の形態の説明において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」としてコンピュータを機能させるものである。あるいは、以下に述べる「〜部」の手順や方法をコンピュータに実行させるものである。
【００４５】
実施の形態１．
まず、実施の形態１について説明する。実施の形態１では、位置情報をトリガーとして情報を配信する情報配信装置１００について説明する。
【００４６】
図４に基づき情報配信装置１００の動作の概要について説明する。
図４は、自宅１０と会社２０との間のいわゆる通勤経路を示している。通勤経路には、電車が利用されており、電車を利用する際には自宅最寄り駅改札１４と会社最寄り駅改札２４とを通過する。また、ここでは、ユーザは携帯電話端末９１７（ユーザ端末３００の一例）により、情報配信装置１００と通信を行うものとする。
１つ目の例として、ユーザが翌日に会社へ書類を持って行かなければならない場合を想定する。この場合、ユーザは携帯電話端末９１７を使用して情報配信装置１００へアクセスし、例えば、情報配信のトリガーとして「翌日の日付」と「自宅１０の位置から離れる」とを、また任意のアクション（次の行動）を示唆するメッセージとして「書類を持って行く」とのアクション（次の行動）を示唆する情報を登録する。すると、翌日、自宅１０を出て会社２０へ向い自宅１０から離れた場合、登録した「書類を持って行く」とのメッセージが情報配信装置１００から携帯電話端末９１７へ配信される。メッセージは、例えば、メール等により配信される。ここで、情報配信装置１００は、内蔵されている時計により翌日であることを判定する。また、情報配信装置１００は、携帯電話端末９１７の位置を携帯電話端末９１７から定期的に受信して自宅１０の位置から離れたことを判定する。例えば、自宅１０の位置を中心とした所定の範囲１２の外に携帯電話端末９１７が出た場合には、自宅１０から離れたと判定する。そして、情報配信のトリガーとして登録されたすべての条件を満たした場合、情報配信装置１００はメール等により登録された情報を配信する。
また、１つ目の例と同様に、店舗２６などで買い物をしなければならない場合には、情報配信のトリガーとして「店舗の位置」を登録し、任意のメッセージとして「○○を買う」を登録する。ここで、トリガーの時刻情報は必須のものではなく、位置情報だけをトリガーとしても構わない。このように登録することで、店舗２６の付近のエリアに携帯電話端末９１７が入った場合、「○○を買う」とのアクション（次の行動）を示唆するメッセージが情報配信装置１００から携帯電話端末９１７へ配信される。
【００４７】
さらに、２つ目の例として、会社からの帰りに自宅１０の最寄駅付近にある店舗で買い物をしたい場合を想定する。例えば、１つ目の例と同様に、情報配信のトリガーとして「会社から帰る時間」と「自宅最寄駅の位置」とを登録することも可能である。しかし、情報配信のトリガーとして「自宅最寄り駅改札１４を出るとき」と登録することも可能である。つまり、自宅最寄り駅改札１４を通過する場合に携帯電話端末９１７と自動改札装置（入退場管理端末の一例）とが通信を行う。そして、情報配信装置１００は、自動改札装置から携帯電話端末９１７が自宅最寄り駅改札１４を出たとの情報を受信して携帯電話端末９１７の位置情報を得る。自動改札装置の通過時に位置情報を取得することにより、会社へ向かっているのか、自宅１０へ向かっているのかを自動改札の通過が入場であるか退場であるかにより判断することができる。つまり、２つ目の例のように会社への行きではなく会社からの帰りであるということを指定する場合に、「自宅最寄駅改札を退場する（出る）」という条件により容易に指定が可能となる。また、携帯電話端末９１７は、１つ目の例では、例えば定期的に現在位置情報を情報配信装置１００へ送信する必要があるが、２つ目の例ではそのような必要がない。また、携帯電話端末９１７がＧＰＳアンテナ９１８等の位置取得装置９９０を備えていなくても情報配信装置１００から位置をトリガーとした情報配信を受けることが可能である。
ここでは、電車の自動改札を入退場管理端末の一例として挙げた。しかし、これに限られず、バスの乗車の際の料金支払端末を入退場管理端末とし、電子マネーが登録されたカードをユーザ端末３００としても構わない。また、その他、店舗に設置された電子マネー読取装置を入退場管理端末とし、電子マネーが登録されたカードをユーザ端末３００としても構わない。
【００４８】
また、さらに、３つ目の例として、出勤時に雨が降っていないが帰りに雨が降る予報が出ている場合を想定する。この場合、出勤時に傘を持って出る必要がある。そこで、情報配信のトリガーとして、例えば、「自宅１０の位置から離れる」と「１７時以降の降水確率６０％以上」とを、任意のメッセージとして「帰りは雨になるため傘が必要」との情報を登録する。自宅１０から会社２０へ向い、天気予報で１７時以降の降水確率が６０％以上であれば、「帰りは雨になるため傘が必要」とのメッセージが情報配信装置１００から携帯電話端末９１７へ配信される。これにより、傘を忘れることがない。つまり、トリガー情報として気象予報を指定しても構わない。
【００４９】
次に、図５、図６に基づき実施の形態１に係る情報配信装置１００の機能と動作に説明する。
図５は、実施の形態１に係る情報配信装置１００の機能を示す機能ブロック図である。
情報配信装置１００は、情報配信処理部１１０、表示装置９０１、処理装置９８０、入力装置９８２、記憶装置９８４、通信装置９８８を備える。
情報配信処理部１１０は、例えば、ソフトウェア、プログラム等であってもよく、この場合、記憶装置９８４に記憶され、処理装置９８０により実行される。情報配信処理部１１０は、受信部１２０、記憶部１４０、判定部１６０、情報配信部１７０を備える。
受信部１２０は、入力情報受信部１２２、頻度受信部１２４、指定時刻受信部１２６、指定位置受信部１２８、現在位置受信部１３０、指定気象予報受信部１３２、気象予報データ受信部１３４を備える。また、記憶部１４０は、入力情報記憶部１４２、頻度記憶部１４４、指定時刻記憶部１４６、指定位置記憶部１４８、指定気象予報記憶部１５０を備える。また、判定部１６０は、時刻判定部１６２、位置判定部１６４、気象予報判定部１６６を備える。
【００５０】
図６は、実施の形態１に係る情報配信装置１００の動作である情報配信処理を示すフローチャートである。情報配信処理は情報配信プログラム及び情報配信方法の処理内容を示す。
【００５１】
まず、入力情報受信処理（Ｓ１０１）では、入力情報受信部１２２は、任意に入力された入力情報をユーザ端末３００から通信装置９８８により受信する。つまり、ユーザがユーザ端末３００により入力した配信されたいメッセージを入力情報受信部１２２は受信する。上記の例では、「書類を持って行く」や「○○を買う」が入力情報に当たる。そして、入力情報記憶処理（Ｓ１０２）では、入力情報記憶部１４２は、入力情報受信部１２２が受信した入力情報を記憶装置９８４に記憶する。
次に、頻度受信処理（Ｓ１０３）では、頻度受信部１２４は、入力情報を配信する頻度を示す頻度情報をユーザ端末３００から受信する。そして、頻度記憶処理（Ｓ１０４）では、頻度記憶部１４４は、頻度受信部１２４が受信した頻度情報を記憶装置９８４に記憶する。頻度情報は、例えば、情報を配信する条件を満たしている間は５分に１度配信する等の配信の頻度を示す情報である。また、情報を配信する条件を一度満たした場合には停止の操作をするまでは５分に１度配信する等としても構わない。
次に、指定時刻受信処理（Ｓ１０５）では、指定時刻受信部１２６は、情報を発信するトリガーとなる時刻である指定時刻をユーザ端末３００から通信装置９８８により受信する。そして、指定時刻記憶処理（Ｓ１０６）では、指定時刻記憶部１４６は、指定時刻受信部１２６が受信した指定時刻を記憶装置９８４に記憶する。指定時刻は、時分秒まで指定しても、時分まででも、時まででもよく、また日、曜日、週、月、年の指定でも構わない。また、時刻については指定をしなくても構わない。
次に、指定位置受信処理（Ｓ１０７）では、指定位置受信部１２８は、情報を発信するトリガーとなる位置である指定位置をユーザ端末３００から通信装置９８８により受信する。そして、指定位置記憶処理（Ｓ１０８）では、指定位置記憶部１４８は、指定位置受信部１２８が受信した指定位置を記憶装置９８４に記憶する。指定位置は、例えば、住所、緯度経度、駅名、自動改札への入場・退場等で指定する。
次に、指定気象予報受信処理（Ｓ１０９）では、指定気象予報受信部１３２は、情報を発信するトリガーとなる気象予報情報である指定気象予報をユーザ端末３００から通信装置９８８により受信する。そして、指定気象予報記憶処理（Ｓ１１０）では、指定気象予報記憶部１５０は、指定気象予報受信部１３２が受信した指定気象予報を記憶装置９８４に記憶する。指定気象予報は、例えば、晴れ、曇り、雨等の予報、降水確率、花粉飛散量、湿度、波の高さ、津波警報等である。
【００５２】
次に、時刻判定処理（Ｓ１１１）では、時刻判定部１６２は、指定時刻記憶部１４６が記憶した指定時刻が到来したか否かを処理装置９８０により判定する。指定時刻が到来したと時刻判定部１６２が判定した場合、（Ｓ１１２）へ進む。一方、指定時刻が到来していないと時刻判定部１６２が判定した場合、処理を終了する。
次に、現在位置受信処理（Ｓ１１２）では、現在位置受信部１３０は、ユーザ端末３００の現在位置を通信装置９８８により受信する。ここで、現在位置受信部１３０は、上述したようにユーザ端末３００が所定の入退場管理端末と通信を行った場合に、現在位置を受信するとしても構わない。入退場管理端末は、例えば、電車の自動改札、バスの乗車の際の料金支払端末、店舗に設置された電子マネー読取装置、映画館、コンサート会場、スポーツ施設等に設置されたチケット読取装置等である。また、現在位置受信部１３０は、入退場管理端末から現在位置を受信するとしても構わない。そして、位置判定処理（Ｓ１１３）では、位置判定部１６４は、指定位置記憶部１４８が記憶した指定位置の所定の範囲に現在位置受信部１３０が受信した現在位置が入るか否かを処理装置９８０により判定する。指定位置の所定の範囲に現在位置が入ると位置判定部１６４が判定した場合、（Ｓ１１４）へ進む。一方、指定位置の所定の範囲に現在位置が入らないと位置判定部１６４が判定した場合、処理を終了する。
次に、気象予報データ受信処理（Ｓ１１４）では、気象予報データ受信部１３４は、外部の気象情報配信装置から気象予報データを通信装置９８８により受信する。そして、気象予報判定処理（Ｓ１１５）では、気象予報判定部１６６は、指定気象予報記憶部１５０が記憶した指定気象予報と気象予報データ受信部１３４が受信した気象予報データとが一致するか否かを処理装置９８０により判定する。指定気象予報と上記気象予報データとが一致すると気象予報判定部１６６が判定した場合、（Ｓ１１６）へ進む。一方、指定気象予報と気象予報データとが一致しないと気象予報判定部１６６が判定した場合、処理を終了する。
【００５３】
情報配信処理（Ｓ１１６）では、情報配信部１７０は、入力情報記憶部１４２が記憶した入力情報を所定の配信先へ配信する。情報配信部１７０は、頻度記憶部１４４が受信した頻度情報に基づき入力情報を所定の配信先へ配信する。ここで、所定の配信先とは、例えば、入力情報等を入力したユーザ端末３００であるが、これに限られず、後述する他の機器等へ配信しても構わない。
【００５４】
処理の順序は、上記に限られず、例えば、（Ｓ１０１）及び（Ｓ１０２）の組と、（Ｓ１０３）及び（Ｓ１０４）の組と、（Ｓ１０５）及び（Ｓ１０６）の組と、（Ｓ１０７）及び（Ｓ１０８）の組と、（Ｓ１０９）及び（Ｓ１１０）の組とは、各組の処理の順序を入れ替えても、各組の処理を並列に実施しても構わない。同様に、（Ｓ１１１）と、（Ｓ１１２）及び（Ｓ１１３）の組と、（Ｓ１１４）及び（Ｓ１１５）の組とは、各組の処理の順序を入れ替えても構わない。
また、トリガーとして、指定時刻、指定位置、指定気象予報とを指定しているが、これに限るわけではなく、他のトリガーを加えても構わない。また、トリガーとして、指定時刻、指定位置、指定気象予報を全て指定しなければならないわけではなく、いずれか２つ又は１つのみ指定しても構わない。
【００５５】
情報配信先は、ユーザ端末３００に限られないと述べた。その他の配信先として、例えば、ルータやモデム等、通常電源が切られることがない機器へ配信しても構わない。例えば、会社が沿岸部にあることを想定する。トリガーを「会社付近」と「津波情報の発生」とし、任意のメッセージを「津波発生予報あり」等として登録する。会社付近に津波情報が発生した場合に、会社に設置されたルータ等へ登録したメッセージが配信される。ここで、ルータ等に、例えば、スピーカー９１９や警報ランプ等を付属させ、スピーカーから音声によりメッセージを出力し、併せて警報ランプを点滅させる。
【００５６】
次に、情報配信部１７０が情報を配信する方法について説明する。情報配信部１７０は登録された入力情報を、例えば、電子メールをユーザ端末３００等へ送信することにより情報を配信する。しかし、これに限られず、音声データとして配信しても構わない。ユーザ端末３００は、音声データを受信するとスピーカー９１９から受信した音声を出力する。また、情報を配信されるユーザ端末３００や上記ルータ、モデム等に、一定の音声データを記憶させておき、情報配信部１７０から配信された情報を合成して合成音声としてスピーカー９１９等から出力しても構わない。つまり、上記の例では、ユーザ端末３００や上記ルータ、モデム等に「津波が○○分後に到達」という音声を登録しておく。一方、情報配信部１７０は津波が到達する時刻のみを配信する。そして、情報配信部１７０から津波が到達する時間を受信し、その時間から算出された時刻（例えば１５分後）を上記○○に合成し、「津波が１５分後に到達」というメッセージをスピーカー９１９から出力する。
【００５７】
実施の形態２．
次に、実施の形態２について説明する。実施の形態２では、位置情報をトリガーとして情報を通知する情報通知装置２００について説明する。実施の形態１の情報配信装置１００と異なり、情報通知装置２００は他の端末等へ情報を配信するのではなく、情報通知装置２００がユーザへ情報を通知する。
【００５８】
図４に基づき情報通知装置２００の動作の概要について説明する。
図４は、実施の形態１で説明した通り、自宅１０と会社２０との間のいわゆる通勤経路を示している。通勤経路には、電車が利用されており、電車を利用する際には自宅最寄り駅改札１４と会社最寄り駅改札２４とを通過する。ここでは、ユーザが使用する携帯電話端末９１７が情報通知装置２００であるものとする。
実施の形態１の１つ目の例と同様の例を考える。つまり、ユーザが翌日に会社へ書類を持って行かなければならない場合を想定する。この場合、実施の形態１と同様に、情報配信のトリガーとして「翌日の日付」と「自宅１０の位置から離れる」とを、また任意のアクション（次の行動）を示唆するメッセージとして「書類を持って行く」とのアクション（次の行動）を示唆する情報を登録する。ここで、これらのアクション（次の行動）を示唆する情報は、携帯電話端末９１７が備える記憶装置９８４に記憶される。そして、翌日、自宅１０を出て会社２０へ向かった場合、登録した「書類を持って行く」とのアクション（次の行動）を示唆するメッセージを携帯電話端末９１７はユーザへ通知する。携帯電話端末９１７は、例えば、表示装置９０１にメッセージを表示することや、スピーカーから音声によりメッセージを出力すること等により通知を行う。また、携帯電話端末９１７は、バイブレーション機能によりユーザの注意を促しても構わない。携帯電話端末９１７は、時計機能を有し翌日であることを判定する。また、携帯電話端末９１７は、ＧＰＳアンテナ９１８により取得された現在位置に基づき、自宅１０の位置から離れたことを判定する。また、実施の形態１と同様に、例えば、自宅１０の位置を中心とした所定の範囲１２の外に携帯電話端末９１７が出た場合には、自宅１０から離れたと判定する。
【００５９】
さらに、実施の形態１の２つ目の例と同様の例を考える。つまり、会社からの帰りに自宅１０の最寄駅付近にある店舗で買い物をしたい場合を想定する。この場合においても、実施の形態１と概ね同様である。しかし、現在位置の取得については、自宅最寄り駅改札１４を通過する場合に携帯電話端末９１７と自動改札装置（入退場管理端末の一例）とが通信を行い、この際、携帯電話端末９１７がＧＰＳアンテナ９１８により現在位置を取得しても、自動改札装置から携帯電話端末９１７が現在位置を取得しても構わない。そして、情報通知の条件を満たした場合、携帯電話端末９１７は、上記と同様の方法によりメッセージをユーザへ通知する。
【００６０】
また、さらに、実施の形態１の３つ目の例と同様の例を考える。出勤時に雨が降っていないが帰りに雨が降る予報が出ている場合を想定する。この場合も実施の形態１と概ね同様である。つまり、トリガー情報として気象予報を指定しても構わない。そして、情報通知の条件を満たした場合、携帯電話端末９１７は、上記と同様の方法によりアクション（次の行動）を示唆するメッセージをユーザへ通知する。
【００６１】
次に、図７、図８に基づき実施の形態２に係る情報通知装置２００の機能と動作に説明する。
図７は、実施の形態２に係る情報通知装置２００の機能を示す機能ブロック図である。
情報通知装置２００は、情報通知処理部２１０、表示装置９０１、処理装置９８０、入力装置９８２、記憶装置９８４、通信装置９８８、位置取得装置９９０、出力装置９９２を備える。
情報通知処理部２１０は、例えば、ソフトウェア、プログラム等であってもよく、この場合、記憶装置９８４に記憶され、処理装置９８０により実行される。情報通知処理部２１０は、入力部２２０、記憶部２４０、判定部２６０、情報通知部２７０を備える。
入力部２２０は、入力情報入力部２２２、頻度入力部２２４、指定時刻入力部２２６、指定位置入力部２２８、現在位置取得部２３０、指定気象予報入力部２３２、気象予報データ受信部２３４を備える。また、記憶部２４０は、入力情報記憶部２４２、頻度記憶部２４４、指定時刻記憶部２４６、指定位置記憶部２４８、指定気象予報記憶部２５０を備える。また、判定部２６０は、時刻判定部２６２、位置判定部２６４、気象予報判定部２６６を備える。
ここで、記憶部２４０と判定部２６０とは、実施の形態１の記憶部１４０、判定部１６０と同様である。また、気象予報データ受信部２３４は、実施の形態１の気象予報データ受信部１３４と同様である。また、情報通知装置２００は、情報通知装置２００自身の位置を取得するため位置取得装置９９０を備え、ユーザへ情報を通知するため出力装置９９２を備える。
【００６２】
図８は、実施の形態２に係る情報通知装置２００の動作である情報通知処理を示すフローチャートである。情報通知処理は情報通知プログラム及び情報通知方法の処理内容を示す。以下、実施の形態１の情報配信処理と異なる部分についてのみ説明する。
【００６３】
まず、入力情報入力処理（Ｓ２０１）では、入力情報入力部２２２は、任意の情報を入力情報として入力装置９８２により入力する。つまり、入力情報入力部２２２は、ユーザに配信されたいメッセージを入力させる。そして、入力情報記憶処理（Ｓ２０２）では、入力情報記憶部２４２は、入力情報入力部２２２が入力した入力情報を記憶装置９８４に記憶する。
次に、頻度入力処理（Ｓ２０３）では、頻度入力部２２４は、入力情報を通知する頻度を示す頻度情報を入力装置９８２により入力する。そして、頻度記憶処理（Ｓ２０４）では、頻度記憶部２４４は、頻度入力部２２４が入力した頻度情報を記憶装置９８４に記憶する。
次に、指定時刻入力処理（Ｓ２０５）では、指定時刻入力部２２６は、情報を発信するトリガーとなる時刻である指定時刻を入力装置９８２により入力する。そして、指定時刻記憶処理（Ｓ２０６）では、指定時刻記憶部２４６は、指定時刻入力部２２６が入力した指定時刻を記憶装置９８４に記憶する。
次に、指定位置入力処理（Ｓ２０７）では、指定位置入力部２２８は、情報を発信するトリガーとなる位置である指定位置を入力装置９８２により入力する。そして、指定位置記憶処理（Ｓ２０８）では、指定位置記憶部２４８は、指定位置入力部２２８が入力した指定位置を記憶装置９８４に記憶する。
次に、指定気象予報入力処理（Ｓ２０９）では、指定気象予報入力部２３２は、情報を発信するトリガーとなる気象予報情報である指定気象予報を入力装置９８２により入力する。そして、指定気象予報記憶処理（Ｓ２１０）では、指定気象予報記憶部２５０は、指定気象予報入力部２３２が入力した指定気象予報を記憶装置９８４に記憶する。
【００６４】
（Ｓ２１１）は、（Ｓ１１１）と同様である。
現在位置取得処理（Ｓ２１２）では、現在位置取得部２３０は、現在位置を位置取得装置９９０により取得する。ここで、現在位置取得部２３０は、上述したようにユーザ端末３００が所定の入退場管理端末と通信を行った場合に、現在位置を取得するとしても構わない。
（Ｓ２１３）から（Ｓ２１５）までは、（Ｓ１１３）から（Ｓ１１５）までと同様である。
そして、情報配信処理（Ｓ２１６）では、入力情報記憶部２４２が記憶した入力情報を通知する。
【００６５】
処理の順序は、実施の形態１の情報配信処理と同様に上記に限られず、例えば、（Ｓ２０１）及び（Ｓ２０２）の組と、（Ｓ２０３）及び（Ｓ２０４）の組と、（Ｓ２０５）及び（Ｓ２０６）の組と、（Ｓ２０７）及び（Ｓ２０８）の組と、（Ｓ２０９）及び（Ｓ２１０）の組とは、各組の処理の順序を入れ替えても、各組の処理を並列に実施しても構わない。同様に、（Ｓ２１１）と、（Ｓ２１２）及び（Ｓ２１３）の組と、（Ｓ２１４）及び（Ｓ２１５）の組とは、各組の処理の順序を入れ替えても構わない。
また、トリガーとして、指定時刻、指定位置、指定気象予報とを指定しているが、これに限るわけではなく、他のトリガーを加えても構わない。また、トリガーとして、指定時刻、指定位置、指定気象予報を全て指定しなければならないわけではなく、いずれか２つ又は１つのみ指定しても構わない。
【００６６】
以上、説明したように、上記実施の形態では、ソフトウェアプログラムが所定の条件を満たした場合に情報を配信又は通知するように処理する。そのため、情報配信装置１００及び情報通知装置２００を実現する場合に、ハードウェアたる新たな専用装置等を創作しなくとも、汎用のコンピュータや既存のネットワーク・システムとそのソフトウェアとを用いて、情報配信装置１００及び情報通知装置２００を実現する専用装置を創作したのと同様な結果が得られる。したがって、上記実施の形態のソフトウェアの開発は、自然法則を利用した技術的思想の創作である。すなわち、上記実施の形態の情報配信装置１００及び情報通知装置２００の実現は、経済法則ではないし、人為的取決めでもないし、人間の精神活動でもなく、自然法則を利用した技術的思想の創作である。
【００６７】
また、上記実施の形態の情報配信装置１００及び情報通知装置２００は、表示装置９０１、処理装置９８０、入力装置９８２、記憶装置９８４、通信装置９８８等のハードウェアが用いられており、ソフトウェアによる情報処理がハードウェアを用いて具体的に実現されたものである。すなわち、上記実施の形態の情報配信装置１００及び情報通知装置２００は、自然法則を利用したハードウェアの動作により情報配信装置１００及び情報通知装置２００の実現を図っているものであり、自然法則を利用した技術的思想の創作に該当するものである。
【図面の簡単な説明】
【００６８】
【図１】実施の形態における情報配信システム１０００の外観の一例を示す図。
【図２】実施の形態における情報配信装置１００のハードウェア資源の一例を示す図。
【図３】実施の形態における情報通知装置２００、ユーザ端末３００のハードウェア資源の一例を示す図。
【図４】情報配信装置１００の動作の概要の説明図。
【図５】実施の形態１に係る情報配信装置１００の機能を示す機能ブロック図。
【図６】実施の形態１に係る情報配信装置１００の動作である情報配信処理を示すフローチャート。
【図７】実施の形態２に係る情報通知装置２００の機能を示す機能ブロック図。
【図８】実施の形態２に係る情報通知装置２００の動作である情報通知処理を示すフローチャート。
【符号の説明】
【００６９】
１０００  情報配信システム、１００  情報配信装置、１１０  情報配信処理部、１２０  受信部、１２２  入力情報受信部、１２４  頻度受信部、１２６  指定時刻受信部、１２８  指定位置受信部、１３０  現在位置受信部、１３２  指定気象予報受信部、１３４  気象予報データ受信部、１４０  記憶部、１４２  入力情報記憶部、１４４  頻度記憶部、１４６  指定時刻記憶部、１４８  指定位置記憶部、１５０  指定気象予報記憶部、１６０  判定部、１６２  時刻判定部、１６４  位置判定部、１６６  気象予報判定部、１７０  情報配信部、２００  情報通知装置、２１０  情報通知処理部、２２０  入力部、２２２  入力情報入力部、２２４  頻度入力部、２２６  指定時刻入力部、２２８  指定位置入力部、２３０  現在位置取得部、２３２  指定気象予報入力部、２３４  気象予報データ受信部、２４０  記憶部、２４２  入力情報記憶部、２４４  頻度記憶部、２４６  指定時刻記憶部、２４８  指定位置記憶部、２５０  指定気象予報記憶部、２６０  判定部、２６２  時刻判定部、２６４  位置判定部、２６６  気象予報判定部、２７０  情報通知部、９０１  表示装置、９０２  キーボード、９０３  マウス、９０４  ＦＤＤ、９０９  ＰＣ、９１０  サーバ、９１１  ＣＰＵ、９１２  バス、９１３  ＲＯＭ、９１４  ＲＡＭ、９１５  通信ボード、９１６  外部サーバ、９１７  携帯電話端末、９１８  ＧＰＳアンテナ、９１９  スピーカー、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2008033674.tif 000003
【図２】
2008033674.tif 000004
【図３】
2008033674.tif 000005
【図４】
2008033674.tif 000006
【図５】
2008033674.tif 000007
【図６】
2008033674.tif 000008
【図７】
2008033674.tif 000009
【図８】
2008033674.tif 000010